(57)【特許請求の範囲】
【請求項１】
前面が開口され、内部に加熱室や加熱手段等が設けられた本体ケースと、該本体ケースの前面開口部を開閉するドアーと、表示部、複数の押しボタン等を有し前記ドアーの上方又は横方向において前記本体ケースに設けられた操作パネルとを備え、
前記押しボタンはその下にそれぞれ中継ボタンが配置され、前記押しボタンを操作すると該中継ボタンを介して基板に設けたタクトスイッチが押圧されるように構成されており、
前記押しボタンをすき間を介して隣接して配置し、これら押しボタンの前記すき間側端面の互いに干渉しない位置に突出部を設けたことを特徴とする加熱調理器。
【請求項２】
前記突出部を、ほぼ半球状に形成したことを特徴とする請求項１記載の加熱調理器。
【請求項３】
前記突出部を、断面ほぼ半円状の突条で形成したことを特徴とする請求項１記載の加熱調理器。
【請求項４】
前記突出部を、一方の押しボタンのすき間側の端面の上部の前後方向のほぼ中央部から後部にかけて設けると共に、他方の押しボタンのすき間側の端面の下部の前後方向のほぼ中央部から後部にかけて設けたことを特徴とする請求項３記載の加熱調理器。
【請求項５】
前記突出部を、一方の押しボタンのすき間側の端面の前端部近傍の上下方向のほぼ中央部から上方にかけて設けると共に、他方の押しボタンのすき間側の端面の前端部近傍の上下方向のほぼ中央部から下方にかけて設けたことを特徴とする請求項３記載の加熱調理器。
【請求項６】
前記突出部を、一方の押しボタンのすき間側の端面の奥側の上下方向のほぼ中央部から上方にかけて設けると共に、他方押しボタンのすき間側の端面の奥側の上下方向のほぼ中央部から下方にかけて設けたことを特徴とする請求項３記載の加熱調理器。
【請求項７】
前記突出部とこれと対向する押しボタンの端面との間に隙間を設けたことを特徴とする請求項１〜６のいずれかに記載の加熱調理器。
【請求項８】
前記突出部を、これと対向する押しボタンの端面に当接させてことを特徴とする請求項１〜６のいずれかに記載の加熱調理器。
【発明の詳細な説明】
【技術分野】
【０００１】
本発明は、加熱調理器に係り、さらに詳しくは、操作パネルの操作性、デザイン性に優れた加熱調理器に関するものである。
【背景技術】
【０００２】
従来の加熱調理器に、内部に加熱庫を有し、前面開口部に横方向に開閉する扉が設けられて、扉の上部に設けたコントロールパネルに表示管及び多数のメニューキーを設けたものがある（例えば、特許文献１参照）。
また、内部に加熱室を有し、前面開口部に縦方向に開閉する扉を設けると共に、前面開口部に隣接して設けた操作パネルに表示装置及び多数のキーボードスイッチを設けたものがある（例えば、特許文献２参照）。
【０００３】
【特許文献１】特開平６−８８６２３号公報（第２頁、図１）
【特許文献２】特開２００１−３４３１２７号公報（第２−３頁、図１）
【発明の開示】
【発明が解決しようとする課題】
【０００４】
特許文献１，２の加熱調理器においては、コントロールパネル又は操作パネルに設けた多数のメニューキー又はキーボードスイッチ（以下、メニューキーという）が、隣接するメニューキーの間になんら部材を設けることなく僅かなすき間を介して密に配置されているため、メニューキーの成形時のバラツキ、あるいは使用時の熱や扉開放時に加熱庫から吹出す熱風、湿気などにより、隣接するメニューキーどうしが変形して接触し、所望のメニューキーを操作したときにこれに隣接するメニューキーも同時に動作してしまったり、接触により所望のメニューキーが操作できなくなることがある。
【０００５】
また、熱や湿気によりメニューキーが変形して隣接するメニューキーの間にすき間が生じ、多数のメニューキーの間のすき間が不均一になって、デザイン上好ましく状態が生じることがある。特に、特許文献１のように、扉の上にコントロールパネルを設けた場合は、扉を開放したときに庫内の熱が上方に上るため、上記のような傾向が著しい。
さらに、特許文献１の加熱調理器において、扉を縦開きにした場合は、扉を開放した場合の熱や湿気の影響をより強く受けることになる。
【０００６】
本発明は、上記の課題を解決するためになされたもので、押しボタンの成形時のバラツキ、あるいは使用時の熱やドア開放時の加熱室からの熱や湿気の影響を受けても、隣接する押しボタンとのすき間をほぼ一定に保持することができる操作パネルを備えた、操作性、デザイン性に優れた加熱調理器を提供することを目的としたものである。
【課題を解決するための手段】
【０００７】
本発明に係る加熱調理器は、前面が開口され、内部に加熱室や加熱手段等が設けられた本体ケースと、該本体ケースの前面開口部を開閉するドアーと、表示部、複数の押しボタン等を有し前記ドアーの上方又は横方向において前記本体ケースに設けられた操作パネルとを備え、前記押しボタンはその下にそれぞれ中継ボタンが配置され、前記押しボタンを操作すると該中継ボタンを介して基板に設けたタクトスイッチが押圧されるように構成されており、前記押しボタンをすき間を介して隣接して配置し、これら押しボタンの前記すき間側端面の互いに干渉しない位置に突出部を設けたものである。
【発明の効果】
【０００８】
本発明によれば、押しボタンの成形時のバラツキ、あるいは使用時の熱やドアー開放時の加熱室からの熱や湿気の影響を受けても、隣接する押しボタンとのすき間をほぼ一定に保持することができ、また、突出部は他方の押しボタンの端面に点接触又は線接触するようになっているので、所望の押しボタンを操作したときに、これと隣接する押しボタンが同時に作動したり、操作できなくなるようなことがなく、操作性、デザイン性にすぐれた操作パネルを備えた加熱調理器を得ることができる。
【発明を実施するための最良の形態】
【０００９】
［実施の形態１］
図１は本発明の実施の形態１に係る加熱調理器の正面図、図２は図１の操作パネルの要部の斜視図、図３は図２のＡ−Ａ断面図である。
前面が開口され、内部に加熱室、高周波加熱装置や電気抵抗ヒータの如き加熱手段などが設けられた本体ケース１の前面開口部には、窓３を有し、下部両側が本体ケース１にヒンジにより支持された縦開きドアー２が設けられており、また、本体ケース１のドアー２の上部には操作パネル５が設けられている。４はドアー２のハンドルである。
【００１０】
操作パネル５には、表示部６、独立し又は隣接して配置されたメニューキーの如き複数の押しボタン７などが設けられている。この押しボタン７の下には中継ボタン８が配置され、使用者が押しボタン７を操作すると、中継ボタン８を介して、電気、電子部品が搭載された基板１０に設けたタクトスイッチ９が押されるようになっている。
【００１１】
隣接する押しボタン７ａ，７ｂは、図４の正面図及び図５の上面図に示すように、所定のすき間ｇを介して横方向に配置されており、一方の押しボタン（例えば、７ａ）のすき間ｇ側の端面の上部の前側には、半球状の突出部１１ａが突設されており、他方の押しボタン７ｂのすき間側の端面の下部の後側（突出部１１ａと干渉しない位置）には、同様に半球状の突出部１１ｂが突設されている。この突出部１１ａ，１１ｂとこれと対向する他方の押しボタン７ｂ，７ａの端面との間には若干すき間が設けられている。
【００１２】
本実施の形態によれば、所定のすき間ｇを介して隣接して配置された押しボタン７ａ，７ｂの対向する面の互いに干渉しない位置にそれぞれ突出部１１ａ，１１ｂを設けたので、両押しボタン７ａ，７ｂの操作になんら影響を及ぼすことはない。
【００１３】
また、両押しボタン７ａ，７ｂに成形時のバラツキがあったり、あるいは加熱調理器の使用時やドアー２の開放時の熱、湿気などにより変形したりすると、両押しボタン７ａ，７ｂは突出部１１ａ，１１ｂが相手方の押しボタン７ｂ，７ａの端面に接触することがあるが、突出部１１ａ，１１ｂは面接触ではなく点接触となるため、接触による摩擦抵抗はきわめて小さい。このため、一方の押しボタン７ａ（又は７ｂ）を操作した際、他方の押しボタン７ｂ（又は７ａ）が押しボタン７ａ（又は７ｂ）と共に動作することがないので、所望の押しボタン７ａ又は７ｂを確実に操作することができる。また所望の押しボタン７ａ又は７ｂが他方の押しボタン７ｂ又は７ａの干渉により操作できなくなることもないため、操作性を向上することができる。
【００１４】
上記のような押しボタン７ａ，７ｂにおいて、突出部１１ａ，１１ｂをすき間ｇの奥の方に設ければ正面から見にくく、隣接する押しボタン７ａ，７ｂの間に均一なすき間ｇが存在するように見えるため、デザイン性を向上することができる。
【００１５】
［実施の形態２］
図６は本発明の実施の形態２に係る加熱調理器の操作パネルに設けた押しボタンの上面図である。なお、実施の形態１と同じ部分にはこれと同じ符号を付し、説明を省略する。
実施の形態１においては、押しボタン７ａ，７ｂのすき間ｇ側の端面に半球状の突出部１１ａ，１１ｂを設けた場合を示したが、本実施の形態は、押しボタン７ａ，７ｂのすき間ｇ側の端面に、断面ほぼ半円状の突条によってそれぞれ突出部１２ａ，１２ｂを形成したものである。
【００１６】
すなわち、一方の押しボタン（例えば７ａ）のすき間ｇ側の端面の上部に、前後方向のほぼ中央部から後端部にかけて、断面ほぼ半円状の突条によって突出部１２ａを形成すると共に、他方の押しボタン７ｂのすき間ｇ側の端面の下部の突出部１２ａと対応した位置に断面ほぼ半円状の突条によって突出部１２ｂを設けたものである。この場合、両突出部１２ａ，１２ｂと他方の押しボタン７ｂ，７ａの端面との間には、若干のすき間が設けられている。なお両突出部１２ａ，１２ｂの前面側端部は、ほぼ半球状に形成することが望ましい。本実施の形態の正面形状は図示してないが、図４の場合と同様である。
【００１７】
本実施の形態において、押しボタン７ａ，７ｂが成形時のバラツキや熱変形などによって、突出部１２ａ，１２ｂが相手方の押しボタン７ｂ，７ａに接触しても押圧方向の線接触となるため摩擦抵抗がほとんどなく、実施の形態１の場合とほぼ同様の作用、効果を得ることができる。さらに、突出部１２ａ，１２ｂの長さは、タクトスイッチ９の動作ストロークより長いので、突出部１２ａ，１２ｂがずれて他方の押しボタン７ａ又は７ｂに引掛ることがない。
【００１８】
［実施の形態３］
図７は本発明の実施の形態３に係る加熱調理器の操作パネルに設けた押しボタンの正面図、図８は図７の上面図である。なお、実施の形態１と同じ部分にはこれと同じ符号を付し、説明を省略する。
本実施の形態は、一方の押しボタン（例えば７ａ）のすき間ｇ側の端面の前端部近傍において、上下方向のほぼ中央部から上端部にかけて、断面ほぼ半円状の突条からなる突出部１３ａを設けると共に、他方の押しボタン７ｂのすき間側の端面の前端部近傍において、上下方向のほぼ中央部から下端部にかけて、突出部１３ａに対向して断面ほぼ半円状の突条からなる突出部１３ｂを設け、前面側からみて両押しボタン７ａ，７ｂの間のすき間ｇを覆うように構成したものである。なお、両突出部１３ａ，１３ｂの上下方向の対向面の間には、互いに干渉しないようにすき間が設けられている。
【００１９】
図９は本実施の形態の他の例を示す押しボタンの上面図である。図７，図８の例においては、押しボタン７ａ，７ｂのすき間ｇ側の端面の前端部近傍に突出部１３ａ，１３ｂを設けた場合を示したが、本例は、両押しボタン７ａ，７ｂのすき間ｇの端面の前端部より奥側に突出部１３ａ，１３ｂを設けたものである。
【００２０】
本実施の形態の作用、効果は実施の形態１，２の場合とほぼ同様であるが、さらに、ドアー２の開放時に加熱室からの熱風や湿気が、隣接する押しボタン７ａ，７ｂの間のすき間ｇから内部に侵入するのを防止できるので、基板１０上に設置された電気、電子部品などを保護することができる。また、図９の例によれば、突出部１３ａ，１３ｂがすき間ｇの奥に設けられているため、正面から見えにくく、かつ隣接する押しボタン７ａ，７ｂの間に均一なすき間が存在するように見えるため、デザイン性をさらに向上することができる。
【００２１】
上記の説明では、ドアー２の上部に設けた操作パネル５の押しボタン７に本発明を実施した場合を示したが、本体ケース１の前面にドアー２に隣接して操作パネルを設けた加熱調理器の押しボタンにも本発明を実施することができる。
また、縦方向に開閉するドアー２を有する加熱調理器に本発明を実施した場合を示したが、横方向の端部の上下がヒンジにより本体ケース１に支持された横開きのドアーを備えた加熱調理器にも本発明を実施することができる。
【００２２】
さらに、上記の各実施の形態においては、突出部１１ａ，１１ｂ、１２ａ，１２ｂ、１３ａ，１３ｂ（以下、突出部１１ａ，１１ｂと記す）と、押しボタン７ａ，７ｂの端面との間にはすき間を設けた場合を示したが、このすき間をなくして、突出部１１ａ，１１ｂを対向する押しボタン７ｂ，７ａの端面に当接するようにしてもよい。このように構成することにより隣接する押しボタン７ａ，７ｂ間のすき間ｇが均一になり、デザイン性をさらに向上することができる。
【図面の簡単な説明】
【００２３】
【図１】本発明の実施の形態１に係る加熱調理器の正面図である。
【図２】図１の操作パネルの要部の斜視図である。
【図３】図２のＡ−Ａ断面図である。
【図４】操作パネルの押しボタン部分の正面図である。
【図５】図４の上面図である。
【図６】本発明の実施の形態２に係る加熱調理器に設けた操作パネルの押しボタン部分の上面図である。
【図７】本発明の実施の形態３に係る加熱調理器に設けた操作パネルの押しボタン部分の正面図である。
【図８】図７の上面図である。
【図９】実施の形態３の押しボタン部分の他の例の上面図である。
【符号の説明】
【００２４】
１  本体ケース、２  ドアー、５  操作パネル、７ａ，７ｂ  押しボタン、１１ａ，１１ｂ、１２ａ，１２ｂ、１３ａ，１３ｂ  突出部、ｇ  すき間。
【図１】
0004578378.tif 000002
【図２】
0004578378.tif 000003
【図３】
0004578378.tif 000004
【図４】
0004578378.tif 000005
【図５】
0004578378.tif 000006
【図６】
0004578378.tif 000007
【図７】
0004578378.tif 000008
【図８】
0004578378.tif 000009
【図９】
0004578378.tif 000010